(57)【要約】【課題】従来の木材のデッキ材（ウッドデッキ）が抱える長年の使用による腐食や汚れ等の問題と、金属製のデッキ材が抱える錆の発生防止のための製作や施工の手間の問題を解消する。【解決手段】木材のデッキ材であるウッドデッキに代わるデッキ材として、長さ方向の両端間に連続する１個乃至複数個の空洞１ａを持ち、少なくとも表面に幅方向、もしくは長さ方向に交互に配列する凹部１ｂと凸部１ｃが長さ方向、もしくは幅方向に連続的に形成されたセラミックブロック１を用い、セラミックブロック１をその幅方向と長さ方向に隣接させて配列させ、厚さ方向に貫通する留め具２を用いて構造体３、もしくは地盤面に直接、もしくは間接的に固定して床５又は壁を構成する。【選択図】      図１
2004308192.tif 000002
【特許請求の範囲】
【請求項１】
セラミックブロックをその幅方向と長さ方向に隣接させて配列させ、構造体、もしくは地盤面に直接、もしくは間接的に固定して構成される床又は壁であり、セラミックブロックは長さ方向の両端間に連続する１個乃至複数個の空洞を持ち、少なくとも表面に幅方向、もしくは長さ方向に交互に配列する凹部と凸部が長さ方向、もしくは幅方向に連続的に形成されているセラミックブロックを用いた床又は壁。
【請求項２】
セラミックブロックの側面に厚さ方向、もしくは長さ方向に交互に配列する凹部と凸部が長さ方向、もしくは厚さ方向に連続的に形成されている請求項１記載のセラミックブロックを用いた床又は壁。
【請求項３】
セラミックブロックの底面の、幅方向両側を除く中間部に凹溝が形成され、幅方向両側に脚部が形成されている請求項１、もしくは請求項２記載のセラミックブロックを用いた床又は壁。
【請求項４】
長さ方向に隣接するセラミックブロックの端面間に空隙が確保されている請求項１乃至請求項３のいずれかに記載のセラミックブロックを用いた床又は壁。
【請求項５】
セラミックブロックは厚さ方向に貫通する留め具を用いて構造体、もしくは地盤面に固定される請求項１乃至請求項４のいずれかに記載のセラミックブロックを用いた床又は壁。
【発明の詳細な説明】
【０００１】
【発明の属する技術分野】
この発明はバルコニーやテラス、外壁等のように主として屋外に構築されるセラミックブロックを用いた床又は壁に関するものである。
【０００２】
【従来の技術】
例えばバルコニーやテラス等の屋外に構築される床を構成するデッキ材は中実断面の木材（ウッドデッキ）、またはアルミニウム等の金属製の押出し形材等を用いた形が一般的である（特許文献１〜特許文献３参照）。
【０００３】
【特許文献１】
特開２０００−２７２８９号公報
【特許文献２】
特開２０００−１４５０９７号公報
【特許文献３】
特開２００１−９０１７５号公報
【０００４】
【発明が解決しようとする課題】
特許文献１のようにウッドデッキの場合は長年の使用による腐食の問題が伴うため、腐食防止のための防腐剤を塗布するか、含浸させることが不可欠となり、防腐剤が人体の皮膚に悪影響を及ぼす可能性が高い他、表面に傷と汚れが付き易い問題がある。
【０００５】
金属製の押出し形材を用いたデッキ材は中空断面であるために、中空部への錆の発生を防止する上で、ボルト等のねじを、デッキ材を貫通させて直接根太や躯体に固定することができないことから、例えば特許文献２のようにねじの頭を中空部の中に納めることが必要になるため、デッキ材の断面形状が複雑化し、製作が難しくなる傾向がある。
【０００６】
一方、デッキ材を貫通するねじを用いてデッキ材を根太や躯体に固定する場合には、特許文献３のようにデッキ材の表面を保護するための被覆材を装着する必要があり、床を構成する部品の種類と施工の手間が多くなる問題がある。
この発明は従来の木材や金属製のデッキ材が抱える問題を解消するブロックを用いた床又は壁を提案するものである。
【０００７】
【課題を解決するための手段】
本発明では木材のデッキ材であるウッドデッキに代わるデッキ材としてセラミックブロックを用いることにより、腐食の問題と、断面形状、あるいは施工が複雑化する問題を解消する。腐食の問題がなく、防腐剤を塗布する必要がなくなることで、人体の皮膚が直接接触することによる皮膚への悪影響は発生しない。
【０００８】
セラミックは腐食がなく、傷と汚れが付きにくい性質を有するものの、木材に比べ、熱を蓄積する性質を有することで、夏期に表面温度が上昇し、日中の使用に支障が生ずる可能性があるため、本発明ではセラミックブロックの長さ方向の両端間に連続する１個乃至複数個の空洞を形成すると共に、少なくとも表面、すなわち上面に幅方向、もしくは長さ方向に交互に配列する凹部と凸部を長さ方向、もしくは幅方向に連続的に形成することにより、蓄積した熱の放出性を高め、蓄熱による夏期の使用上の障害を緩和する。
【０００９】
セラミックブロックはその幅方向と長さ方向に隣接して配列させられ、構造体、もしくは地盤面に直接、もしくは間接的に固定されることにより床又は壁を構成する。セラミックブロックが壁を構成する場合は、その落下防止上、請求項５に記載のように厚さ方向に貫通するボルト等のねじ、またはピン、アンカーその他の留め具を用いて構造体に固定されるが、床を構成する場合は下記のように必ずしも留め具を用いる必要はない。
【００１０】
請求項３に記載のようにセラミックブロックの底面の、幅方向両側を除く中間部に凹溝が形成され、幅方向両側に脚部が形成される場合は、脚部がモルタルや接着剤等の充填材中に定着されることで、セラミックブロックが構造体や地盤面に固定された状態となるため、留め具を用いることは必要ではなくなる。脚部が形成されない場合には壁の場合と同様に留め具を用いてセラミックブロックが構造体や地盤面に固定される。
【００１１】
セラミックブロックが長さ方向の両端間に連続する１個乃至複数個の空洞を持ち、表面に幅方向、もしくは長さ方向に配列する凹部と凸部が連続的に形成されることで、セラミックブロックの断面内に蓄積した熱は内周面と表面から放出されるため、放熱性が高く、夏期に表面が高温になる事態が緩和される。
【００１２】
請求項２に記載のようにセラミックブロックの側面にも厚さ方向、もしくは長さ方向に交互に配列する凹部と凸部を長さ方向、もしくは厚さ方向に連続的に形成すれば、より放熱性が高まり、表面温度の上昇が抑制される。
【００１３】
また請求項３に記載のようにセラミックブロックの底面の、幅方向両側を除く中間部に凹溝を形成し、幅方向両側に脚部を形成すれば、蓄積した熱の放出がセラミックブロックの内周面と表面に加え、底面からも行われるため、放熱性が一層向上する。
【００１４】
この場合、凹溝が形成されることで、セラミックブロックが構造体や地盤面に支持されたときに、幅方向には２箇所の脚部で支持されるため、支持状態での安定性がよい利点がある。
【００１５】
またセラミックブロックが請求項５に記載のように留め具のみによって構造体や地盤面に固定されれば、セラミックブロックの底面が構造体や地盤面から浮き、留め具と充填材との併用によって固定される場合でも底面を構造体や地盤面から浮かせることができ、底面と構造体や地盤面との間に空隙を確保することができるため、セラミックブロックの底面における排水性がよい利点もある。
【００１６】
請求項３ではまた、セラミックブロックが留め具に加え、底面においてモルタルや接着剤等の充填材によって構造体に固定される場合には、幅方向両側の脚部が充填材中に定着されることで定着状態でのセラミックブロックの安定性が向上するため、構造体からの剥離防止効果、特に壁に用いられた場合の構造壁からの剥落防止効果が高まる利点がある。
【００１７】
またセラミックブロックの表面が平坦面であれば、その表面が雨水を一定方向に跳ね返させる結果、雨戸や障子の屋外側の面を汚し、また木製の場合には腐食させる原因となるが、請求項１、請求項２ではセラミックブロックの表面、または表面と側面に凹部と凸部が形成されることで、表面、または表面と側面が雨水の跳ね返る方向を不規則にするため、汚れや腐食の発生を抑制することが可能になる。
【００１８】
複数のセラミックブロックが床又は壁を構成する際に、請求項４に記載のように長さ方向に隣接するセラミックブロックの端面間に空隙が確保された状態でセラミックブロックが配列させられれば、セラミックブロックの端面間でも放熱が行われるため、表面温度の低減効果が高まる。
【００１９】
蓄積した熱の放出上、及び隣接するセラミックブロック間での応力の伝達によるセラミックブロックの破壊を防止する上では、幅方向に隣接するセラミックブロックの側面間にも空隙が確保されることが望ましいが、請求項２のようにセラミックブロックの側面に凹部と凸部が形成されていれば、セラミックブロックの側面が互いに接触しても双方の凹部によってセラミックブロックの側面間に空洞が確保されるため、放熱効果は確保される。隣接するセラミックブロックの側面間の空隙が小さければ、床面の連続性が確保されるため、円滑で、抵抗感のない歩行が得られる利点がある。
【００２０】
請求項１乃至請求項５ではまた、表面に幅方向、もしくは長さ方向に配列する凹部と凸部が連続的に形成されることで、凹部と凸部がない平坦面の場合との対比で言えば、人体との接触面積が低下するため、人体がセラミックブロックの表面から感ずる熱さを緩和する効果があり、仮に表面温度が上昇した場合にも上記の放熱効果と併せてセラミックブロック上を歩行できなくなる事態を回避することが可能である。
【００２１】
【発明の実施の形態】
この発明は図４〜図７に示すようなセラミックブロック１をその幅方向と長さ方向に隣接させて配列させ、基本的に厚さ方向に貫通するボルトやピン、あるいはアンカー等の留め具２を用いて図１〜図３に示すように土間コンクリートや構造壁、建物の柱・梁のような架構その他の構造体３、もしくは地盤面に直接、もしくは間接的に固定して構成される床５又は壁である。
【００２２】
セラミックブロック１はウッドデッキに代わって使用されることから、幅方向と長さ方向に隣接して配列され、床５又は壁を構成したときに、上載荷重に対して十分な強度と剛性を確保できる厚さ寸法と、適度な幅寸法及び長さ寸法を持つ。図面ではバルコニーやテラス等に使用されるウッドデッキの寸法に対応して４０ｍｍの厚さ寸法、９５ｍｍの幅寸法、８９５ｍｍの長さ寸法をセラミックブロック１に与えているが、幅寸法及び長さ寸法は設置場所や構造体３の種別、例えば鉄筋コンクリート造であるか、木構造であるか、またはセラミックブロック１の支持方法に応じて、すなわち構造体３や地盤面に直接支持されるか、図１〜図３に示すように根太４や胴縁を介して間接的に支持されるかによって自由に決定される。セラミックブロック１は主に磁器質やせっ器質、陶器質のセラミックによって製作される。
【００２３】
セラミックブロック１は材質上保有する高い蓄熱性を緩和し、放熱性を高めるために、長さ方向の両端間に連続する１個乃至複数個の空洞１ａを持ち、表面（上面）には図４、図５に示すように幅方向、もしくは長さ方向に交互に配列する凹部１ｂと凸部１ｃが形成される。凹部１ｂと凸部１ｃは床５を使用する上で支障のない程度に床５又は壁全体として平坦面をなすよう、図示するように長さ方向、もしくは幅方向に連続的に形成される。
【００２４】
図面ではセラミックブロック１の幅方向の両側部分と中央部分に円形断面の空洞１ａを、円形断面の空洞１ａ，１ａの間に長孔断面の空洞１ａを形成しているが、空洞１ａは使用上、セラミックブロック１の圧縮強度に影響のない程度に形成されればよい。上載荷重を負担する部分であるセラミックブロック１の幅方向の両側部分の空洞１ａは空洞１ａ以外の部分の肉厚を確保するために、他の空洞１ａより小さくしている。
【００２５】
図面では凹部１ｂと凸部１ｃを成形のし易さから、セラミックブロック１の幅方向に交互に配列させ、長さ方向に連続させているが、凹部１ｂと凸部１ｃをセラミックブロック１の長さ方向に交互に配列させ、幅方向に連続させることもある。また凹部１ｂと凸部１ｃは連続的であればよいため、部分的に途切れ、断続的に形成される場合もある。凹部１ｂと凸部１ｃはセラミックブロック１上を歩行等する際に手足に傷を与えることのないよう、例えば図４、図８に示すように波形等の曲面で構成されるが、凹部１ｂと凸部１ｃを平面で構成し、密に配列させることもある。
【００２６】
図面ではまた、セラミックブロック１自身の放熱性を高めるために、図６に示すようにセラミックブロック１の側面にも厚さ方向、もしくは長さ方向に交互に配列する凹部１ｂと凸部１ｃを長さ方向、もしくは厚さ方向に連続的に形成している（請求項２）。ここでもセラミックブロック１の成形のし易さから、凹部１ｂと凸部１ｃを長さ方向に連続させて形成しているが、断続的に形成する場合もある。
【００２７】
セラミックブロック１の表面に加え、幅方向の側面にも凹部１ｂと凸部１ｃを形成した場合には、幅方向に隣接するセラミックブロック１，１が互いに接触しても両セラミックブロック１，１の側面間に空隙（空洞）が確保されるが、図１〜図３では幅方向に隣接するセラミックブロック１，１の側面間と、長さ方向に隣接するセラミックブロック１，１の端面間に空隙を確保しながら２方向にセラミックブロック１を配置している。
【００２８】
また放熱性をより高めると共に、セラミックブロック１を構造体３や地盤面に安定させて支持させる上では、図４、図８に示すようにセラミックブロック１の底面の、幅方向両側を除く中間部に凹溝１ｄが形成され、相対的に凹溝１ｄの両側に脚部１ｅ，１ｅが形成される。凹溝１ｄの下向き面は人体に直接接触することがなく、外観にも露出しないため、凹溝１ｄの形状は問われない。
【００２９】
セラミックブロック１の底面に凹溝１ｄが形成されることで、セラミックブロック１が構造体３や地盤面に支持されたとき、凹溝１ｄの下向き面が構造体３や地盤面から浮き、セラミックブロック１は幅方向には２箇所の脚部１ｅ，１ｅで支持されるため、支持状態での安定性と排水性がよい。
【００３０】
図面ではセラミックブロック１が底面においてモルタルや接着剤等の充填材によって土間コンクリートや構造壁等の構造体３に固定される場合に、脚部１ｅ，１ｅが充填材中に確実に定着され、定着状態でのセラミックブロック１の安定性を高め、構造体３からの剥離又は剥落防止効果を高めるために、脚部１ｅの幅がセラミックブロック１の表面側から底面側へかけて次第に拡大し、鉤形となる形状に脚部１ｅ，１ｅを形成している。
【００３１】
この鉤形の脚部１ｅ，１ｅを形成した場合で、構造体３や地盤面上にモルタルや接着剤等の充填材を介してセラミックブロック１を床材として敷設した場合には、セラミックブロック１の固定状態が脚部１ｅ，１ｅの充填材への定着によって確保されるため、必ずしも留め具２を用いてセラミックブロック１を固定する必要はない。
【００３２】
留め具２を用いてセラミックブロック１を構造体３や地盤面する場合、セラミックブロック１には少なくとも長さ方向の両側に、幅方向の中央部に１箇所、もしくは幅方向に間隔をおいて複数箇所に貫通孔１ｆが穿設される。図４〜図７は幅方向の中央部に１箇所の貫通孔１ｆを形成した場合、図８、図９は２箇所に形成した場合である。図８、図９に示すセラミックブロック１は貫通孔１ｆの数が異なる以外、図４〜図７に示すセラミックブロック１と同一寸法、同一形状である。
【００３３】
留め具２を用いない場合には貫通孔１ｆを穿設する必要はないが、貫通孔１ｆを穿設した場合で、脚部１ｅ，１ｅの充填材への定着のみによってセラミックブロック１を構造体３や地盤面上に固定する場合にはゴミや指の詰まりを防止するために、貫通孔１ｆは必要によりキャップ等の閉塞材によって塞がれる。
【００３４】
図１〜図３は土間コンクリート等の構造体３の天端に、セラミックブロック１の幅方向に向けて根太４を固定し、根太４上にセラミックブロック１をその幅方向と長さ方向に隣接させて配列させた場合を示す。
【００３５】
根太４を介在させる場合、セラミックブロック１は複数本の根太４に支持され、セラミックブロック１の長さ方向に見たとき、床５の端部に位置する根太４は１本のセラミックブロック１の端部を支持し、それ以外の根太４は長さ方向に隣接する２本のセラミックブロック１，１を支持する。
【００３６】
セラミックブロック１は貫通孔１ｆから挿入される留め具２を根太４に螺入、もしくは打ち込むことにより、または接着剤等の充填材を用いて定着させることにより根太４に固定される。
【００３７】
セラミックブロック１を構造壁の表面に固定された胴縁に固定する場合も、セラミックブロック１は上記した根太４を介して土間コンクリートに固定する場合と同様に固定される。
【００３８】
セラミックブロック１はこの他、図示しないが、構造体３や地盤面上に直接、あるいはモルタルや接着剤等の充填材を介して敷設される場合もある。その場合、セラミックブロック１は留め具２を構造体３や地盤面に直接、または間接的に螺入、もしくは打ち込むことにより、または定着させることにより、あるいはまた留め具２を用いることなく、脚部１ｅ，１ｅを充填材に定着させることにより構造体３や地盤面に固定される。
【００３９】
セラミックブロック１を壁材として構造体３としての構造壁の表面に充填材を介して固定する場合には、脚部１ｅ，１ｅの充填材への定着と共に、セラミックブロック１の落下防止のために留め具２による固定が併用される。
【００４０】
【発明の効果】
木材のデッキ材であるウッドデッキに代わるデッキ材として、腐食がなく、傷と汚れが付きにくい性質を有するセラミックブロックを用いるため、腐食の問題と、断面形状、あるいは施工が複雑化する問題を解消することができる。腐食の問題がなく、防腐剤を塗布する必要がなくなることで、人体の皮膚が直接接触することによる皮膚への悪影響を回避することができる。
【００４１】
セラミックブロックは木材に比べ、熱を蓄積する性質により夏期に表面温度が上昇する可能性があるものの、セラミックブロックの長さ方向の両端間に連続する１個乃至複数個の空洞が形成されると共に、少なくとも表面に幅方向、もしくは長さ方向に交互に配列する凹部と凸部が連続的に形成されることで、セラミックブロックの断面内に蓄積した熱が内周面と表面から放出されるため、放熱性が高く、蓄熱による夏期の使用上の障害を緩和することができる。
【００４２】
請求項２ではセラミックブロックの側面にも厚さ方向、もしくは長さ方向に交互に配列する凹部と凸部を連続的に形成するため、より放熱性が高まり、表面温度の上昇が抑制される。
【００４３】
請求項１、請求項２ではセラミックブロックの表面、または表面と側面に凹部と凸部が形成されることで、雨水の跳ね返る方向を不規則にすることができるため、雨戸や障子の屋外側の面の汚れや腐食の発生を抑制することができる。
請求項３ではセラミックブロックの底面の、幅方向両側を除く中間部に凹溝を形成することで、蓄積した熱の放出がセラミックブロックの内周面と表面、及び底面から行われるため、放熱性が一層向上する。
【００４４】
また凹溝が形成されることで、セラミックブロックが構造体や地盤面に支持されたときに、幅方向には２箇所で支持されるため、支持状態での安定性がよく、セラミックブロックの底面における排水性もよい。
【００４５】
請求項３ではまた、底面への凹溝の形成によって幅方向両側に脚部が形成されるため、セラミックブロックが底面においてモルタルや接着剤等の充填材によって構造体に固定される場合に、定着状態での安定性を向上させることができ、構造体からの剥離防止効果、特に壁に用いられた場合の構造壁からの剥落防止効果が高まる。
【００４６】
請求項４では長さ方向に隣接するセラミックブロックの端面間に空隙を確保した状態でセラミックブロックを配列させることで、セラミックブロックの端面間で放熱が行われるため、表面温度の低減効果が高まる。この場合、セラミックブロックの側面に凹部と凸部が形成されていれば、セラミックブロックの側面が互いに接触しても凹部によってセラミックブロックの側面間に空隙が確保されるため、放熱効果は確保される。
【００４７】
また請求項１乃至請求項５では表面に幅方向、もしくは長さ方向に交互に配列する凹部と凸部が連続的に形成されることで、凹部と凸部がない平坦面の場合との対比で人体との接触面積が低下するため、人体がセラミックブロックの表面から感ずる熱さを緩和させることが可能であり、表面温度が上昇した場合にもセラミックブロックの放熱効果と併せてセラミックブロック上を歩行できなくなる事態を回避することが可能である。
【図面の簡単な説明】
【図１】セラミックブロックの敷設状態を示した平面図である。
【図２】図１のｘ−ｘ線の矢視図である。
【図３】図１のｙ−ｙ線の矢視図である。
【図４】貫通孔が１個の場合のセラミックブロックを示した端面図である。
【図５】図４の平面図である。
【図６】図４の側面図である。
【図７】図４の底面図である。
【図８】貫通孔が２個の場合のセラミックブロックを示した端面図である。
【図９】図８の平面図である。
【符号の説明】
１……セラミックブロック、１ａ……空洞、１ｂ……凹部、１ｃ……凸部、１ｄ……凹溝、１ｅ……脚部、１ｆ……貫通孔、２……留め具、３……構造体、４……根太、５……床。
【図１】
2004308192.tif 000003
【図２】
2004308192.tif 000004
【図３】
2004308192.tif 000005
【図４】
2004308192.tif 000006
【図５】
2004308192.tif 000007
【図６】
2004308192.tif 000008
【図７】
2004308192.tif 000009
【図８】
2004308192.tif 000010
【図９】
2004308192.tif 000011